(57)【要約】【課題】鍵盤楽器の大型化を抑止するとともに、鍵盤楽器の見た目上の美しさを保つことが可能な鍵盤蓋のスライド機構を提供する。【解決手段】鍵盤を閉じる第１位置から、鍵盤屋根２２の上面上の第２位置まで、鍵盤蓋３を平行移動させる鍵盤蓋スライド機構４である。鍵盤屋根２２のうち、鍵盤蓋３が常に重なっている重複部分に案内具５とピニオン６とが取り付けられる。また、鍵盤蓋３の裏面のうちピニオン６に対向する位置にラック９６が設けられ、鍵盤蓋３の裏面のうち案内具５に対向する位置に案内溝８２、９２が形成される。各案内具５の爪部５２を第１取付部材８の爪８２及び第２取付部材９の爪９２に引っ掛けながら、案内具５を案内溝８２や案内溝９２で摺動させるとともに、ピニオン６をラック９６上で走らせることで、鍵盤蓋スライド機構４は、鍵盤蓋３を鍵盤屋根２２上に平行にスライドさせることができる。【選択図】  図８
2018055053.tif 000002
【特許請求の範囲】
【請求項１】
鍵盤楽器の鍵盤蓋を開閉するための鍵盤蓋スライド機構であって、
鍵盤を閉じる第１位置から、前記鍵盤を開ける位置であって前記鍵盤の非演奏者側に設置された鍵盤屋根の上面上の第２位置まで、前記鍵盤蓋を平行移動させる鍵盤蓋スライド機構であって、
前記鍵盤屋根のうち、前記鍵盤蓋が前記第１位置に位置するときに前記鍵盤蓋と重なる重複部分に設けられた凹部に回転可能に固定されたピニオンと、
前記重複部分に固定され、前記鍵盤蓋が前記鍵盤屋根に対して上方に外れることを抑止する爪部を有する案内具と、
前記鍵盤蓋の裏面のうち、前記ピニオンに対向する位置に形成されたラックであって、回転する前記ピニオンと噛合しながら前記鍵盤蓋を前記第１位置から前記第２位置まで送るラックと、
前記鍵盤蓋の裏面のうち、前記案内具に対向する位置に形成された案内溝であって、前記案内具の上部を摺動可能に嵌挿させ、かつ、前記爪部を引っ掛けた状態で前記案内具を摺動させて、前記鍵盤蓋を前記第１位置から前記第２位置まで案内する案内溝と、
を備える鍵盤蓋スライド機構。
【請求項２】
鍵盤の並び方向に沿った左右方向に所定距離離して設置された少なくとも２つの前記ピニオンと、
前記凹部に配置され、それぞれの前記ピニオンの回転軸となる1つの回転軸と、
それぞれの前記ピニオンに対向する位置に設置された複数の前記ラックと
を備える請求項１に記載の鍵盤蓋スライド機構。
【請求項３】
鍵盤の並び方向の中央と、前記中央から前記並び方向に沿って左右方向に所定距離離して設置された少なくとも３つの前記案内具と、
それぞれの前記案内具に対向する位置に形成された複数の前記ラックと
を備える請求項１又は請求項２に記載の鍵盤蓋スライド機構。
【請求項４】
鍵盤の並び方向の中央と、前記中央から前記並び方向に沿って左右方向に所定距離離して設置された少なくとも３つの前記案内具と、
それぞれの前記案内具に対向する位置に形成された複数の前記ラックと、
左右の前記案内具に隣接して設置された２つの前記ピニオンと、
前記凹部に配置され、それぞれの前記ピニオンの回転軸となる1つの回転軸と、
それぞれの前記ピニオンに対向する位置に設置された複数の前記ラックと
を備える請求項１に記載の鍵盤蓋スライド機構。
【請求項５】
前記案内具は、前記凹部内に取り付けられ、前記爪部を含む上部部分が前記鍵盤屋根上に位置する大きさに形成され、前記回転軸を回転可能に固定する
請求項２〜４のいずれか１項に記載の鍵盤蓋スライド機構
【請求項６】
前記鍵盤蓋の裏面のうち、前記案内具に対向する位置に埋設され、前記案内溝を形成する第１取付部材
を備える請求項１〜５のいずれか１項に記載の鍵盤蓋スライド機構。
【請求項７】
前記鍵盤蓋の裏面のうち、前記案内具と前記案内具に隣接して設置された前記ピニオンとに対向する位置に埋設され、前記案内溝と前記ラックとを形成する第２取付部材
を備える請求項１〜６のいずれか１項に記載の鍵盤蓋スライド機構。
【発明の詳細な説明】
【技術分野】
【０００１】
本発明は、鍵盤楽器の鍵盤蓋を開閉するための鍵盤蓋スライド機構に関する。
【背景技術】
【０００２】
鍵盤楽器は、鍵盤蓋を収納可能な大きさの収納空間を有する収納部を、鍵盤の非演奏者側に設け、その収納部内に鍵盤蓋をスライドさせて収納する構造となっている。
また、収納部内には、鍵盤蓋をスライドさせて収納させるためのスライド機構が設けられている。つまり鍵盤楽器は、スライド機構を収納部内に設置して、スライド機構がむき出しになることを抑止することで、見た目上の美しさを保っているのである（例えば、特許文献１参照）。
【先行技術文献】
【特許文献】
【０００３】
【特許文献１】特開平１０−２０７４４８号公報
【発明の概要】
【発明が解決しようとする課題】
【０００４】
しかし、鍵盤楽器は、上述した収納部を設けると大型化してしまう。一方、鍵盤楽器は、収納部がないとスライド機構がむき出しになってしまうので、見た目上の美しさを損なってしまう可能性がある。
本発明は、鍵盤楽器の大型化を抑止するとともに、鍵盤楽器の見た目上の美しさを保つことが可能な鍵盤蓋のスライド機構を提供することを目的とする。
【課題を解決するための手段】
【０００５】
請求項１に記載の発明は、鍵盤楽器の鍵盤蓋を開閉するための鍵盤蓋スライド機構に係る発明であって、鍵盤を閉じる第１位置から、前記鍵盤を開ける位置であって前記鍵盤の非演奏者側に設置された鍵盤屋根の上面上の第２位置まで、前記鍵盤蓋を平行移動させる鍵盤蓋スライド機構であって、前記鍵盤屋根のうち、前記鍵盤蓋が前記第１位置に位置するときに前記鍵盤蓋が重なる重複部分に設けられた凹部に回転可能に固定されたピニオンと、前記重複部分に固定され、前記鍵盤蓋が前記鍵盤屋根に対して上方に外れることを抑止する爪部を有する案内具と、前記鍵盤蓋の裏面のうち、前記ピニオンに対向する位置に形成されたラックであって、回転する前記ピニオンと噛合しながら前記鍵盤蓋を前記第１位置から前記第２位置まで送るラックと、前記鍵盤蓋の裏面のうち、前記案内具に対向する位置に形成された案内溝であって、前記案内具の上部を摺動可能に嵌挿させ、かつ、前記爪部を引っ掛けた状態で前記案内具を摺動させて、前記鍵盤蓋を前記第１位置から前記第２位置まで案内する案内溝と、を備える。
【０００６】
この鍵盤蓋スライド機構を構成するピニオンと案内具は、鍵盤屋根のうち、鍵盤蓋を開けたときも閉じたときも鍵盤蓋が重なっている重複部分に設置されている。また、鍵盤蓋スライド機構を構成するラックと案内溝は、いずれも鍵盤蓋の裏面に形成されている。つまり、本発明の鍵盤蓋スライド機構をなす各構成はいずれも、外側からは視認しにくい場所に設けられている。そのため、本発明の鍵盤蓋スライド機構は、鍵盤楽器に設けても、鍵盤楽器の見た目上の美しさを保つことができる。
また、この鍵盤蓋スライド機構を用いると、鍵盤楽器の見た目上の美しさを保ちつつ、鍵盤蓋をスライドできるので、鍵盤楽器は、鍵盤蓋を収納する収納空間を有する収納部が不要となる。したがって、本発明の鍵盤蓋スライド機構を用いると、鍵盤楽器の大型化を抑止することができる。
【０００７】
本発明の鍵盤蓋スライド機構は、鍵盤の並び方向に沿った左右方向に所定距離離して設置された少なくとも２つのピニオンと、凹部に配置され、それぞれのピニオンの回転軸となる1つの回転軸と、それぞれのピニオンに対向する位置に設置された複数のラックとを備えていてもよい。
この鍵盤蓋スライド機構によれば、少なくとも２つのピニオンによって鍵盤蓋が送られるので、鍵盤蓋を安定してスライドさせることができる。また、この鍵盤蓋スライド機構によれば、各ピニオンが１つの回転軸によって連結されているので、連動して回転する。そのため、この鍵盤蓋スライド機構を用いれば、回転軸に垂直な方向に安定して鍵盤蓋をスライドさせることができる。
尚、回転軸は、その軸方向と鍵の並び方向とが一致するように配置してもよい。
本発明の鍵盤蓋スライド機構は、鍵盤の並び方向の中央と、中央から並び方向に沿って左右方向に所定距離離して設置された少なくとも３つの案内具と、それぞれの案内具に対向する位置に形成された複数のラックとを備えてもよい。
この鍵盤蓋スライド機構によれば、３つの案内具によって鍵盤蓋が支えられるので、鍵盤蓋を安定してスライドさせることができる。
【０００８】
本発明の鍵盤蓋スライド機構は、鍵盤の並び方向の中央と、中央から並び方向に沿って左右方向に所定距離離して設置された少なくとも３つの案内具と、それぞれの案内具に対向する位置に形成された複数のラックと、左右の案内具に隣接して設置された２つのピニオンと、凹部に配置され、それぞれのピニオンの回転軸となる1つの回転軸と、それぞれのピニオンに対向する位置に設置された複数のラックとを備えてもよい。
この鍵盤蓋スライド機構によれば、少なくとも２つのピニオンによって鍵盤蓋が送られるので、鍵盤蓋を安定してスライドさせることができる。また、この鍵盤蓋スライド機構によれば、各ピニオンが１つの回転軸によって連結されているので、連動して回転する。そのため、この鍵盤蓋スライド機構を用いれば、回転軸に垂直な方向に安定して鍵盤蓋をスライドさせることができる。さらに、この鍵盤蓋スライド機構によれば、３つの案内具によって鍵盤蓋が支えられるので、鍵盤蓋を安定してスライドさせることができる。
【０００９】
本発明の鍵盤蓋スライド機構の案内具は、凹部内に取り付けられ、爪部を含む上部部分が鍵盤屋根上に位置する大きさに形成され、回転軸を回転可能に固定するものでもよい。
この案内具を用いれば、回転軸を回転可能に固定する構成を別に備える必要がなく、しかも爪部を引っ掛けながら案内溝を摺動させることができる。
本発明の鍵盤蓋スライド機構は、鍵盤蓋の裏面のうち、案内具に対向する位置に埋設され、案内溝を形成する第１取付部材を備えてもよい。
この第１取付部材を用いれば鍵盤蓋を直接加工することなく、鍵盤蓋に案内溝を設けることができる。
【００１０】
本発明の鍵盤蓋スライド機構は、鍵盤蓋の裏面のうち、案内具と案内具に隣接して設置されたピニオンとに対向する位置に埋設され、案内溝とラックとを形成する第２取付部材を備えてもよい。
この第２取付部材を用いれば鍵盤蓋を直接加工することなく、鍵盤蓋に案内溝やラックを設けることができる。
【図面の簡単な説明】
【００１１】
【図１】本実施形態の鍵盤楽器の（ａ）平面図、（ｂ）正面図、（ｃ）右側面図である。
【図２】本実施形態の鍵盤楽器の（ａ）平面図、（ｂ）正面図、（ｃ）右側面図である。
【図３】（ａ）鍵盤屋根の平面図、（ｂ）鍵盤屋根の上面のうち、第１拡幅凹部や第２拡幅凹部が形成された部分の拡大図、（ｃ）（ｂ）の矢印３ｃの方向に鍵盤屋根を見た側面図である。
【図４】案内具及びピニオンの斜視図である。
【図５】鍵盤蓋の裏面図である。
【図６】第１取付部材の（ａ）平面図、（ｂ）正面図、（ｃ）（ａ）の６ｃ矢視図である。
【図７】第２取付部材の（ａ）平面図、（ｂ）正面図、（ｃ）（ａ）の７ｃ断面図である。
【図８】鍵盤蓋を鍵盤楽器の本体に取り付けたときに、案内具が案内溝に嵌められ、ピニオンがラックに歯合された様子を、演奏者側から非演奏者側に向かって正面視した模式図である。
【発明を実施するための形態】
【００１２】
以下に本発明の例示的な実施形態について図面を参照しながら説明する。
本実施形態の鍵盤楽器１は、図１及び図２に示すように、直方体形状に形成された本体２と、平板形状に形成された鍵盤蓋３とを備えている。本体２には、８８鍵からなる鍵盤２０が設置され、鍵盤２０の非演奏者側には、水平面に沿った平坦な上面を有する鍵盤屋根２２（図２（ａ））を備えている。
【００１３】
本実施形態の鍵盤楽器１は、図２に示すように、鍵盤蓋３を、鍵盤２０を閉じる第１位置から、図１に示すように、鍵盤２０を開ける位置であって鍵盤屋根２２（図２（ａ））の上面上の第２位置まで、鍵盤屋根２２の上面に沿って鍵盤蓋３を平行移動させることで鍵盤蓋３を開けることができる。
【００１４】
次に、鍵盤蓋３を開閉するための構成である鍵盤蓋スライド機構４について説明する。
まず、鍵盤蓋スライド機構４が設置される鍵盤屋根２２について、図３を用いて説明する。
【００１５】
鍵盤屋根２２には、図３（ａ）に示すように、鍵盤蓋３が第１位置（図２参照）に位置するときに鍵盤蓋３と重なる重複部分２３（図３中の斜線部分）に凹部２４が設けられている。この凹部２４は、鍵盤２０の並び方向に沿って長尺状に形成された細長い溝である。この凹部２４の長手方向の中央には、後述する案内具を設置することが可能な大きさの第１拡幅凹部２５を有する。また、この凹部２４の長手方向の中央から、左右（鍵の並び方向に沿った方向）に等距離の位置にも第１拡幅凹部２５が形成されている。さらに、左右の第１拡幅凹部２５の外側には、後述するピニオンを設置可能な第２拡幅凹部２６が第１拡幅凹部２５に隣接して形成されている。
【００１６】
これら第１拡幅凹部２５及び第２拡幅凹部２６に設置される案内具５及びピニオン６について、図４を用いて説明する。
案内具５は、図４（ａ）に示すように、本体５０と、爪部５２とを有する。
【００１７】
本体５０は、直方体形状に形成されている。本体５０の面積が最も大きい２つの面（以下、軸通面５１という）の中央には、本体５０を貫通して設けられた軸通孔５５が形成されている。また、軸通面５１の４つの周囲側面のうち長尺な２つの周囲側面には、本体５０を貫通して設けられた２つのネジ孔５４が、その長手方向に沿って並べて形成されている。爪部５２は、軸通面５１の縁部のうち、ネジ孔５４が形成された一方の周囲側面（以下、上面５３という）側の縁部から軸通面５１に対して垂直に立設されている。爪部５２は上面５３の長手方向に沿った長尺な形状に形成されている。
【００１８】
ピニオン６は、図４（ｂ）に示すように、外周面上に複数の歯６１が形成された円柱状に形成された本体６０を備えている。そして本体６０の軸中心には、後述する回転軸棒を通す軸受孔６２が形成されている。この軸受孔６２は、ピニオンが後述する回転軸棒に対して軸周りにずれないように、円の一部をカットしたような断面形状をなしている。
【００１９】
このように形成された案内具５及びピニオン６は、図３（ｂ）に示すように、設置される。
案内具５は、凹部２４の長手方向と上面５３の長手方向とが垂直になるように、第１拡幅凹部２５内に固定される。またこのとき、案内具５は、図３（ｃ）に示すように、爪部５２側の上面５３を含む案内具５の一部と爪部５２が鍵盤屋根２２の上面上に突出するように固定される。案内具５はネジ孔５４にネジを通して鍵盤屋根２２に螺入させることで鍵盤屋根２２に固定される。
【００２０】
ピニオン６は、凹部２４の長手方向とピニオン６の中心軸とが平行になるように、第２拡幅凹部２６内に回転可能に固定される。またこのとき、ピニオン６は、図３（ｃ）に示すように、一部が鍵盤屋根２２の上面上に突出するように固定される。このとき、ピニオン６の図示しない中心軸は第２拡幅凹部２６内に位置する。
【００２１】
このように固定された各案内具５には、凹部２４内に配置される回転軸棒７が案内具５の各軸通孔５５に通され、回転軸棒７は各案内具５に回転可能に固定される。また、回転軸棒７の両端にはピニオン６が同軸状に固定される。
【００２２】
次に、鍵盤蓋スライド機構４のうち、鍵盤蓋３に設けられる構成について、図５を用いて説明する。
鍵盤蓋３の裏面には、鍵盤屋根２２に取り付けられた中央の案内具５に対向する位置に、後述する案内溝を形成する第１取付部材８が埋設されている。また、鍵盤蓋３の裏面には、鍵盤屋根２２に取り付けられた左右の案内具５及び各ピニオン６に対向する位置に、後述する案内溝及びラックを形成する第２取付部材９が埋設されている。
第１取付部材８は、図６に示すように、断面コ字状に形成されたレール８０を備えている。レール８０には、一方のコの字の端部から他方のコの字の端部側に向かって突出した爪８２が形成されている。レール８０が形成するコの字の内側は、案内具５を案内する案内溝８４となる。案内具５は、案内溝８４に沿って案内されるとき、爪部５２を爪８２に引っ掛けた状態で案内される。また、第１取付部材８には、鍵盤蓋３に固定するためのネジ取付片８９が６つ設けられている。
第２取付部材９は、図７に示すように、第１取付部材８よりも幅広な断面コ字状に形成されたレール９０を備えている。レール９０には、一方のコの字の端部から他方のコの字の端部側に向かって突出した爪９２が形成されている。レール９０の内側には、幅方向の爪９２の側に案内溝９４が形成され、その反対側にはラック９６が形成されている。案内具５は、案内溝９４に沿って案内されるとき、爪部５２を爪８２に引っ掛けた状態で案内される。ピニオン６は、案内具５によって鍵盤蓋３がスライドするとき、ラック９６に歯合しながら回転して、ラック９６上を移動する。また、第２取付部材９には、鍵盤蓋３に固定するためのネジ取付片９９が６つ設けられている。
尚、案内溝９４は、ラック９６よりも深く構成されており、これによって案内溝９４とラック９６との境界部分には段差ができる。この段差によって、案内具５がラック９６側に外れずに案内溝９４内を摺動することとなる。
【００２３】
次に、以上のように構成された鍵盤蓋スライド機構４が組み込まれた鍵盤楽器１の組立方について、図８を用いて説明する。
まず、各案内具５の各爪部５２が、第１取付部材８の爪８２及び第２取付部材９の爪９２に引っ掛かるように、第１取付部材８及び第２取付部材９の長手方向の側面側から、各案内具５を第１取付部材８の案内溝８４及び第２取付部材９の案内溝９４に嵌め込む。すると、各第２取付部材９の各ラック９６には、各第２取付部材９の各ピニオン６が歯合し、各ピニオン６は各ラック９６上を回転しながら移動する。その後、第１取付部材８及び第２取付部材９の長手方向の両端を閉じる。
【００２４】
このように組み立てられた後、鍵盤蓋３を鍵盤を閉じる第１位置から、鍵盤屋根２２上の第２位置に押すと、各案内具５が、第１取付部材８の案内溝８４及び第２取付部材９の案内溝９４内を摺動するため、鍵盤蓋３が、鍵盤屋根２２に沿った面上で回転等することなく、鍵の並び方向に垂直な方向に移動する。しかも、各ピニオン６が各ラック９６に乗りながら回転することで、各ピニオン６が鍵盤蓋３の重量を支えながら鍵盤屋根２２上を平行移動させるので、各案内具５が摺動しても、比較的軽い力で鍵盤蓋３は移動する。これによって、本実施形態の鍵盤楽器１では、鍵盤蓋３が鍵盤屋根２２の上面に対して平行にスライドして、鍵盤２０を開けることができる。
【００２５】
以上説明した本実施形態の鍵盤楽器１の特徴的な作用効果について以下説明する。
本実施形態の鍵盤楽器１は、鍵盤蓋スライド機構４を構成する案内具５やピニオン６が、鍵盤屋根２２のうち、鍵盤蓋３を開けたときも閉じたときも鍵盤蓋３が重なっている重複部分２３に設置されている。また、鍵盤蓋スライド機構４を構成する第１取付部材８も第２取付部材９も鍵盤蓋３の裏面に取り付けられている。つまり、本実施形態の鍵盤蓋スライド機構４をなす各構成はいずれも、外側からは視認しにくい場所に設けられている。そのため、本実施形態の鍵盤蓋スライド機構４は、鍵盤楽器１に設けても、鍵盤楽器１の見た目上の美しさを保つことができる。
また、この鍵盤蓋スライド機構４を用いると、鍵盤楽器１の見た目上の美しさを保ちつつ、鍵盤蓋３をスライドできるので、鍵盤楽器１は、鍵盤蓋３を収納する収納空間を有する収納部が不要となる。したがって、本実施形態の鍵盤蓋スライド機構４を用いると、鍵盤楽器１の大型化を抑止することができる。
また、本実施形態の鍵盤蓋スライド機構４によれば、２つのピニオン６によって鍵盤蓋３が送られるので、鍵盤蓋３を軽い力でスライドさせることができる。また、この鍵盤蓋スライド機構４によれば、各ピニオンが１つの回転軸棒７によって連結され、回転速度が常に同じになるので、安定して鍵盤蓋３をスライドさせることができる。
また、本実施形態の鍵盤蓋スライド機構４によれば、案内具５が回転軸棒７を回転可能に固定するので、回転軸棒７を回転可能に固定する構成を別に備える必要がない。故に、鍵盤蓋スライド機構４の簡素化を図ることができる。
［他の実施形態］
以上、実施形態について説明したが、特許請求の範囲に記載された発明は、上記実施形態に限定されることなく、種々の形態を採り得ることは言うまでもない。
（１）上記実施形態では、２つのピニオン６、３つの案内具５を用いたが、これらの数は、上記実施形態で示した数に限られるものではない。
（２）上記実施形態では、第１取付部材８や第２取付部材９用いることで鍵盤蓋３に案内溝８４、９４やラック９６を配置したが、これら案内溝やラックは鍵盤蓋３を直接加工して形成してもよい。
【００２６】
本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００２７】
１…鍵盤楽器、２…本体、３…鍵盤蓋、４…鍵盤蓋スライド機構、５…案内具、
６…ピニオン、７…回転軸、８…第１取付部材、９…第２取付部材、２０…鍵盤、
２２…鍵盤屋根、２４…凹部、２５…第１拡幅凹部、２６…第２拡幅凹部、
５０…本体、５１…軸通面、５２…爪部、５３…上面、５４…ネジ孔、５５…軸通孔、
６０…本体、６１…歯、６２…軸受孔、８０…レール、８２…爪、８４…案内溝、
８９…ネジ取付片、９０…レール、９２…爪、９４…案内溝、９６…ラック、
９９…ネジ取付片。
【図１】
2018055053.tif 000003
【図２】
2018055053.tif 000004
【図３】
2018055053.tif 000005
【図４】
2018055053.tif 000006
【図５】
2018055053.tif 000007
【図６】
2018055053.tif 000008
【図７】
2018055053.tif 000009
【図８】
2018055053.tif 000010